(57)【要約】  本体部；本体部から互いに離隔されるように延長され、その間に正方向に挿入された布切れ類が収容される把持部が形成される１対の把持台；本体部と、１対の把持台のうち少なくとも一つと、から延長された引っ掛かり圧力調節片；１対の把持台と、引っ掛かり圧力調節片とのうち一つから、本体部に向けて傾くように延長され、延長されて延長された端部が、１対の把持台と、引っ掛かり圧力調節片とのうち他の一つと弾力的に対向する逆方向流れ防止引っ掛かかり片；引っ掛かり圧力調節片が掛かるように、本体部と、１対の把持台のうち少なくとも一つと、に設けられ、逆方向流れ防止引っ掛かかり片の弾力を調節する引っ掛かり圧力調節片挟み爪；を含み、把持部に収容された布切れ類が逆方向に進行されれば、逆方向流れ防止引っ掛かかり片の端部に、布切れ類の表面が折り込まれるように掛かって逆方向流れが防止される逆方向流れ防止挟み具である。
2020513862.tif 000002
【特許請求の範囲】
【請求項１】
本体部と、
前記本体部から互いに離隔されるように延長され、その間に正方向に挿入された布切れ類が収容される把持部が形成される１対の把持台と、
前記本体部と、前記１対の把持台のうち少なくとも一つと、から延長された引っ掛かり圧力調節片と、
前記１対の把持台と、前記引っ掛かり圧力調節片とのうち一つから、前記本体部に向けて傾くように延長され、延長された端部が、前記１対の把持台と、前記引っ掛かり圧力調節片とのうち他の一つと弾力的に対向し、その間に前記布切れ類が挿入され、前記把持部に収容された前記布切れ類が、前記正方向の反対方向である逆方向に進まないように、前記端部に、前記布切れ類の表面が折り込まれるように掛かる逆方向流れ防止引っ掛かかり片と、
前記引っ掛かり圧力調節片が掛かるように、前記本体部と、前記１対の把持台のうち少なくとも一つとに設けられ、前記逆方向流れ防止引っ掛かかり片の弾力を調節する引っ掛かり圧力調節片挟み爪と、を具備する引っ掛かり圧力調節が可能な布切れ類逆方向流れ防止挟み具。
【請求項２】
前記引っ掛かり圧力調節片は、前記１対の把持台のうち一つから延長され、
前記逆方向流れ防止引っ掛かかり片は、前記引っ掛かり圧力調節片から延長され、前記１対の把持台のうち他の一つと弾力的に対向することを特徴とする請求項１に記載の引っ掛かり圧力調節が可能な布切れ類逆方向流れ防止挟み具。
【請求項３】
前記引っ掛かり圧力調節片挟み爪は、前記本体部と、前記引っ掛かり圧力調節片が連結された把持台のうち少なくとも一つと、に設けられることを特徴とする請求項２に記載の引っ掛かり圧力調節が可能な布切れ類逆方向流れ防止挟み具。
【請求項４】
前記引っ掛かり圧力調節片は、前記１対の把持台のうち一つから延長され、
前記逆方向流れ防止引っ掛かかり片は、前記１対の把持台のうち他の一つから延長され、
前記逆方向流れ防止引っ掛かかり片が、前記引っ掛かり圧力調節片と弾力的に対向することを特徴とする請求項１に記載の引っ掛かり圧力調節が可能な布切れ類逆方向流れ防止挟み具。
【請求項５】
前記引っ掛かり圧力調節片挟み爪は、前記本体部と、前記引っ掛かり圧力調節片が連結された把持台のうち少なくとも一つと、に設けられることを特徴とする請求項４に記載の引っ掛かり圧力調節が可能な布切れ類逆方向流れ防止挟み具。
【請求項６】
前記引っ掛かり圧力調節片は、前記１対の把持台それぞれから延長された１対の引っ掛かり圧力調節片を含み、
前記逆方向流れ防止引っ掛かかり片は、前記１対の引っ掛かり圧力調節片のうち一つから延長され、前記１対の引っ掛かり圧力調節片のうち他の一つと弾力的に対向し、
前記引っ掛かり圧力調節片挟み爪は、前記本体部に設けられることを特徴とする請求項１に記載の引っ掛かり圧力調節が可能な布切れ類逆方向流れ防止挟み具。
【請求項７】
前記引っ掛かり圧力調節片は、前記１対の把持台それぞれから延長された１対の引っ掛かり圧力調節片を含み、
前記逆方向流れ防止引っ掛かかり片は、前記１対の引っ掛かり圧力調節片それぞれから延長されて互いに弾力的に対向する１対の逆方向流れ防止引っ掛かかり片を含み、前記引っ掛かり圧力調節片挟み爪は、前記本体部に設けられることを特徴とする請求項１に記載の引っ掛かり圧力調節が可能な布切れ類逆方向流れ防止挟み具。
【請求項８】
前記引っ掛かり圧力調節片は、前記本体部から延長され、
前記引っ掛かり圧力調節片挟み爪は、前記１対の把持台のうち、前記かかり圧力調節片と近い把持台に設けられることを特徴とする請求項１に記載の引っ掛かり圧力調節が可能な布切れ類逆方向流れ防止挟み具。
【請求項９】
前記逆方向流れ防止引っ掛かかり片は、前記引っ掛かり圧力調節片から延長され、前記１対の把持台のうち一つと弾力的に対向することを特徴とする請求項８に記載の引っ掛かり圧力調節が可能な布切れ類逆方向流れ防止挟み具。
【請求項１０】
前記逆方向流れ防止引っ掛かかり片は、前記１対の把持台のうち一つから延長され、前記引っ掛かり圧力調節片と弾力的に対向することを特徴とする請求項８に記載の引っ掛かり圧力調節が可能な布切れ類逆方向流れ防止挟み具。
【請求項１１】
請求項１ないし１０のうちいずれか１項に記載の複数の布切れ類逆方向流れ防止挟み具が、前記本体部の延長方向に配列された布切れ類逆方向流れ防止挟み装置。
【発明の詳細な説明】
【技術分野】
【０００１】
本発明は、洗濯物や、タオル、布巾、ズボン、ネクタイ、靴下のような布切れ類を乾燥させたり、掛けておいたとき、揺れたり、風によって落ちたりしないように、堅固に押さえておく引っ掛かり圧力調節が可能な布切れ類逆方向流れ防止挟み具、及びそれを利用した布切れ類逆方向流れ防止挟み装置に関する。
【背景技術】
【０００２】
従来の洗濯物や、タオル、布巾、ズボン、ネクタイ、靴下のような布切れ類を乾燥させたり、掛けておいたりするとき、風などによる揺れによって落ちないように堅固に押さえておくために、図１に図示されているような洗濯挟みが使用された。洗濯挟みは、スプリングの弾性で、布切れ類を押さえておくので、非常に薄い布切れ類でも、非常に厚い布切れ類でもいずれも同じような圧力で布切れ類を押さえておく。
【０００３】
図１は、従来技術による洗濯挟みの斜視図である。
【０００４】
図１に図示されているような洗濯挟みを利用して布切れ類を把持するときには、把持部５０を開き、布切れ類を把持部５０に挟み、さらに把持部５０が布切れ類を弾性で圧迫するようにする。布切れ類を把持部５０から抜き取るときも、別途の動作で、布切れ類を把持している把持部５０を開けてから、布切れ類を進入口６０側から抜き取る。そのような方式は、布切れ類を堅固に把持する効果は、良好であるが、布切れ類を把持部５０に挟むとき、及び把持部５０から抜き取るとき、いずれも別途の動作で把持部５０を開かなければならないという不都合がある。そのような方式は、布切れ類を把持部５０に挟むとき、及び把持部５０から抜き取るとき、いずれも布切れ類が進入口６０を通過するので、把持された布切れ類が進入口６０から流れ出ないようにするために、把持部５０が強い弾性で布切れ類を圧迫して把持しなければならない。それにより、布切れ類を把持部５０に挟むときや、布切れ類を把持部５０から抜き取るとき、いずれも強い力で把持部５０を開かなければならないので、力が多く入って煩わしく、布切れ類に痕跡が付いたりして不便である。
【０００５】
それと係わり、大韓民国登録実用新案公報第２０−０４１８３０４号は、洗濯挟みを開示しており、大韓民国登録特許公報第１０−１３５８９３４号は、相互結合が可能な洗濯挟みを開示している。
【０００６】
しかし、既存発明は、布切れ類を容易であって迅速に把持したり分離させたりすることができる容易な構造は、開示していない。
【発明の概要】
【発明が解決しようとする課題】
【０００７】
前述の問題点を解消するために、布切れ類が把持部に挟まれるときや、挟まれた後、布切れ類に適度な圧迫が加えられ、把持部に挟まれた布切れ類が、風などによる揺れにも落ちないように、布切れ類の厚みに適するように、布切れ類を圧迫する力を調節することができる方式でありながら、布切れ類を把持部に挟むときや、把持部から抜き取るとき、把持部を開く動作が必要なしに、すぐに挟んだり抜き取ったりすることができる方式が要求される。
【０００８】
そのためには、布切れ類が把持部に挟まれるときは、布切れ類に適度な圧力が加えられる状態で、容易に開かれて容易に挟まれ、布切れ類が把持部に挟まれているときは、布切れ類に適度な圧力が加えられて堅固に押さえておく必要がある。また、布切れ類を把持部から抜き取るときは、布切れ類が、把持部内で正方向、すなわち、下側から上側に一方向のみに進む必要がある。布切れ類が、把持部内において、逆方向、すなわち、上側から下側に進むことができなければ、把持部の布切れ類が進入した進入口側から抜け出ることがなく、布切れ類がもう一度正方向に進み、進入口の反対側に容易にすり抜け出ることができるようにする必要がある。
【０００９】
それにより、洗濯物や、タオル、布巾、ズボン、ネクタイ、靴下などの布切れ類を乾燥させたり、掛けておいたりするために、堅固に押さえておくように、布切れ類の厚みに適するように、適度な圧迫が加えられ、把持部に挟まれた布切れ類が、風などによる揺れにも落ちないように、布切れ類の厚みに適するように布切れ類を圧迫する力を調節することができる方式でありながら、布切れ類を挟むとき、及び抜き取るときのいずれにも、別途の動作で把持部を開く必要がないように、布切れ類が把持部において逆方向に流れることができない方式を簡便に利用することができる引っ掛かり圧力調節が可能な布切れ類逆方向流れ防止挟み具、及びそれを利用した布切れ類逆方向流れ防止挟み装置が要求される。
【００１０】
本発明は、前述のような要求を満足させるために創案されたものであり、本発明の一目的は、布切れ類を把持部に挟む場合、及び抜き取る場合、把持部を開く動作が要求されない布切れ類逆方向流れ防止挟み具、及びそれを利用した布切れ類逆方向流れ防止挟み装置を提供することである。
【００１１】
本発明の一目的は、布切れ類を把持部に挟む場合、及び抜き取る場合、相対的に力が少ししか必要ではない布切れ類逆方向流れ防止挟み具、及びそれを利用した布切れ類逆方向流れ防止挟み装置を提供することである。
【００１２】
本発明の一目的は、乾燥した布切れ類に把持された痕跡や纎維損傷の生ずる危険性が小さいように、把持部内に具備される１以上の引っ掛かり圧力調節片により、布切れ類の厚みに適するように布切れ類を圧迫する力を調節することができる布切れ類逆方向流れ防止挟み具、及びそれを利用した布切れ類逆方向流れ防止挟み装置を提供することである。
【００１３】
本発明の一目的は、１以上の逆方向流れ防止引っ掛かかり片によって把持された布切れ類の逆方向進行が防止され、堅固に固定可能な布切れ類逆方向流れ防止挟み具、及びそれを利用した布切れ類逆方向流れ防止挟み装置を提供することである。
【００１４】
本発明の目的は、以上で言及されたところに制限されるものではなく、言及されていない他の目的は、以下の記載から、本発明が属する技術分野の当業者に明確に理解されるであろう。
【課題を解決するための手段】
【００１５】
前記課題を解決するための本発明の実施形態による挟み具は、本体部；前記本体部から互いに離隔されるように延長され、その間に正方向に挿入された布切れ類が収容される把持部が形成される１対の把持台；前記本体部と、前記１対の把持台のうち少なくとも一つと、から延長された引っ掛かり圧力調節片；前記１対の把持台と、前記引っ掛かり圧力調節片とのうち一つから、前記本体部に向けて傾くように延長され、延長された端部が、前記１対の把持台と、前記引っ掛かり圧力調節片とのうち他の一つと弾力的に対向し、その間に前記布切れ類が挿入され、前記把持部に収容された前記布切れ類が、前記正方向の反対方向である逆方向に進まないように、前記端部に、前記布切れ類の表面が折り込まれるように掛かる逆方向流れ防止引っ掛かかり片；及び前記引っ掛かり圧力調節片が掛かるように、前記本体部と、前記１対の把持台のうち少なくとも一つとに設けられ、前記逆方向流れ防止引っ掛かかり片の弾力を調節する引っ掛かり圧力調節片挟み爪；を具備する。
【００１６】
前記引っ掛かり圧力調節片は、前記１対の把持台のうち一つから延長され、前記逆方向流れ防止引っ掛かかり片は、前記引っ掛かり圧力調節片から延長され、前記１対の把持台のうち他の一つと弾力的に対向することができる。前記引っ掛かり圧力調節片挟み爪は、前記本体部と、前記引っ掛かり圧力調節片が連結された把持台のうち少なくとも一つと、に設けられもする。
【００１７】
前記引っ掛かり圧力調節片は、前記１対の把持台のうち一つから延長され、前記逆方向流れ防止引っ掛かかり片は、前記１対の把持台のうち他の一つから延長され、前記逆方向流れ防止引っ掛かかり片が、前記引っ掛かり圧力調節片と弾力的に対向することができる。前記引っ掛かり圧力調節片挟み爪は、前記本体部と、前記引っ掛かり圧力調節片が連結された把持台のうち少なくとも一つと、に設けられもする。
【００１８】
前記引っ掛かり圧力調節片は、前記１対の把持台それぞれから延長された１対の引っ掛かり圧力調節片を含み、前記逆方向流れ防止引っ掛かかり片は、前記１対の引っ掛かり圧力調節片のうち一つから延長され、前記１対の引っ掛かり圧力調節片のうち他の一つと弾力的に対向され、前記引っ掛かり圧力調節片挟み爪は、前記本体部に設けられもする。
【００１９】
前記引っ掛かり圧力調節片は、前記１対の把持台それぞれから延長された１対の引っ掛かり圧力調節片を含み、前記逆方向流れ防止引っ掛かかり片は、前記１対の引っ掛かり圧力調節片それぞれから延長されて互いに弾力的に対向する１対の逆方向流れ防止引っ掛かかり片を含み、前記引っ掛かり圧力調節片挟み爪は、前記本体部に設けられもする。
【００２０】
前記引っ掛かり圧力調節片は、前記本体部から延長され、前記引っ掛かり圧力調節片挟み爪は、前記１対の把持台のうち、前記かかり圧力調節片と近い把持台に設けられもする。前記逆方向流れ防止引っ掛かかり片は、前記引っ掛かり圧力調節片から延長され、前記１対の把持台のうち一つと弾力的に対向することができる。前記逆方向流れ防止引っ掛かかり片は、前記１対の把持台のうち一つから延長され、前記引っ掛かり圧力調節片と弾力的に対向することができる。
【００２１】
布切れ類逆方向流れ防止挟み装置は、前述の複数の布切れ類逆方向流れ防止挟み具が、前記本体部の延長方向に配列された形態でもある。
【発明の効果】
【００２２】
本発明の実施形態による挟み具、及びそれを利用した挟み装置によれば、布切れ類を乾燥させたり掛けたりしておくために、把持部に挟まれた布切れ類が風や揺れにも落ちないように、布切れ類の厚みに適するように、布切れ類を圧迫する力を調節することができ、洗濯物の厚みにかかわらず、いずれも堅固に固定することができる。
【００２３】
また、布切れ類を挟むとき及び抜き取るときのいずれでも、別途の動作で把持部を開く必要がない。
【００２４】
布切れ類を挟むとき及び抜き取るときのいずれでも、力を入れる必要がなく、布切れ類に痕跡や損傷が生ずる危険性も低くなり、堅固性と便宜性とを提供する効果がある。
【００２５】
本発明の効果は、以上で言及したところに制限されるものではなく、言及されていない他の効果は、以下の記載から、本発明が属する技術分野の当業者に明確に理解されるであろう。
【図面の簡単な説明】
【００２６】
【図１】従来技術による洗濯挟みの斜視図である。
【図２】本発明の挟み具の第１実施形態の斜視図である。
【図３】図２の正面図である。
【図４】本発明の第１実施形態において、布切れ類が滑るようになった状況を示した部分拡大図である。
【図５】本発明の挟み具の第１実施形態において、引っ掛かり圧力調節片挟み爪に引っ掛かり圧力調節片が掛かっている状態を図示した正面図である。
【図６】本発明の挟み具の第１実施形態において、引っ掛かり圧力調節片挟み爪に引っ掛かり圧力調節片が掛かっている状態において、布切れ類が把持部に挟まれるときの状態を図示した部分拡大図である。
【図７】本発明の挟み具の第１実施形態において、引っ掛かり圧力調節片挟み爪に引っ掛かり圧力調節片が掛かっている状態において、布切れ類が把持部の逆方向流れ防止引っ掛かかり片に掛かっている状態を図示した部分拡大図である。
【図８】本発明の挟み具の第１実施形態において、引っ掛かり圧力調節片挟み爪に引っ掛かり圧力調節片が掛かっている状態において、把持部の逆方向流れ防止引っ掛かかり片に掛かっている布切れ類を斜め上に取り込むときの状態を図示した部分拡大図である。
【図９】本発明の挟み具の第２実施形態であり、引っ掛かり圧力調節片挟み爪に引っ掛かり圧力調節片が掛かっている状態を図示した正面図である。
【図１０】本発明の挟み具の第３実施形態であり、引っ掛かり圧力調節片挟み爪に引っ掛かり圧力調節片が掛かっている状態を図示した正面図である。
【図１１】本発明の挟み具の第４実施形態であり、引っ掛かり圧力調節片挟み爪に引っ掛かり圧力調節片が掛かっていない状態を図示した正面図である。
【図１２】図１１に図示された本発明の挟み具の第４実施形態において、引っ掛かり圧力調節片挟み爪に引っ掛かり圧力調節片が掛かっている状態を図示した正面図である。
【図１３】本発明の挟み具の第５実施形態であり、引っ掛かり圧力調節片挟み爪に引っ掛かり圧力調節片が掛かっている状態を図示した正面図である。
【図１４】本発明の挟み具の第６実施形態であり、引っ掛かり圧力調節片挟み爪に引っ掛かり圧力調節片が掛かっている状態を図示した正面図である。
【図１５】本発明の挟み具の第７実施形態であり、引っ掛かり圧力調節片挟み爪に引っ掛かり圧力調節片が掛かっていない状態を図示した正面図である。
【図１６】本発明の挟み具の第８実施形態であり、引っ掛かり圧力調節片挟み爪に引っ掛かり圧力調節片が掛かっていない状態を図示した正面図である。
【図１７】図１６に図示された本発明の挟み具の第８実施形態において、引っ掛かり圧力調節片挟み爪に引っ掛かり圧力調節片が掛かっている状態を図示した正面図である。
【図１８】本発明の挟み具の第９実施形態であり、引っ掛かり圧力調節片挟み爪に引っ掛かり圧力調節片が掛かっていない状態を図示した正面図である。
【図１９】図１８に図示された本発明の挟み具の第９実施形態において、引っ掛かり圧力調節片挟み爪に引っ掛かり圧力調節片が掛かっている状態を図示した正面図である。
【図２０】本発明の引っ掛かり圧力調節が可能な布切れ類逆方向流れ防止挟み具が横長方向に結合されて形成された逆方向流れ防止挟み装置を図示した斜視図である。
【発明を実施するための形態】
【００２７】
本発明の目的及び効果、並びにそれらを達成するための技術的構成は、添付される図面と共に、詳細に後で説明する実施形態を参照すれば、明確になるであろう。本発明の説明において、公知の機能または構成に係わる具体的な説明が、本発明の要旨を必要以上に不明確にすると判断される場合には、その詳細な説明を省略する。そして、後に説明する用語は、本発明での構造、役割及び機能などを考慮して定義された用語であり、それらは、ユーザ、運用者の意図または慣例などによっても異なる。
【００２８】
しかし、本発明は、以下で開示される実施形態に限定されるものではなく、互いに異なる多様な形態にも具現されるのである。ただし、本実施形態は、本発明の開示を完全なものにし、本発明が属する技術分野で当業者に、発明の範疇を完全に知らせるために提供されるものであり、本発明は、ただ特許請求の範囲に記載された請求項の範疇によって定義されるのみである。従って、その定義は、本明細書全般にわたる内容を基に下ろされなければならないであろう。
【００２９】
明細書全体において、ある部分がある構成要素を「含む」とするとき、それは、特別に反対となる記載がない限り、他の構成要素を除くものではなく、他の構成要素をさらに含んでもよいということを意味する。
【００３０】
以下では、添付した図面を参照し、本発明の実施形態について、さらに詳細に説明する。
【００３１】
図２ないし図１９は、布切れ類逆方向流れ防止挟み具１００の多様な実施形態を示している。図２ないし図１９を見れば、本発明の布切れ類逆方向流れ防止挟み具１００は、本体部１０、本体部１０から互いに離隔されるように延長され、その間に、正方向Ａに挿入された布切れ類８０が収容される把持部５０が形成される１対の把持台２０，２０ａ、引っ掛かり圧力調節片３０、引っ掛かり圧力調節片挟み爪７０、及び逆方向流れ防止引っ掛かかり片４０を具備することができる。引っ掛かり圧力調節片３０は、本体部１０と、１対の把持台２０，２０ａのうち少なくとも一つと、から延長される。逆方向流れ防止引っ掛かかり片４０は、１対の把持台２０，２０ａと、引っ掛かり圧力調節片３０とのうち一つから、本体部１０に向けて傾くように延長される。逆方向流れ防止引っ掛かかり片４０の延長された端部は、１対の把持台２０，２０ａと、引っ掛かり圧力調節片３０とのうち他の一つと弾力的に対向し、その間に、布切れ類８０が挿入される。逆方向流れ防止引っ掛かかり片４０の延長された端部に、把持部５０に収容された布切れ類８０が、正方向Ａの反対方向である逆方向Ｂに進まないように、布切れ類８０の表面が折り込まれるように掛かる。引っ掛かり圧力調節片挟み爪７０は、引っ掛かり圧力調節片３０が掛かるように、本体部１０と、１対の把持台２０，２０ａとのうち少なくとも一つに設けられる。引っ掛かり圧力調節片挟み爪７０に掛かることにより、逆方向流れ防止引っ掛かかり片４０の弾力が調節される。
【００３２】
引っ掛かり圧力調節片３０は、１対の把持台２０，２０ａのうち一つから延長され、逆方向流れ防止引っ掛かかり片４０は、引っ掛かり圧力調節片３０から延長され、１対の把持台２０，２０ａのうち他の一つと弾力的に対向することができる。引っ掛かり圧力調節片挟み爪７０は、本体部１０と引っ掛かり圧力調節片３０が連結された把持台とのうち少なくとも一つに設けられもする。
【００３３】
図２は、本発明の挟み具の第１実施形態の斜視図であり、図３は、図２の正面図である。図２を見れば、本発明の布切れ類逆方向流れ防止挟み具１００は、本体部１０と、本体部１０に連結され、布切れ類が挟まれる把持部５０を形成する２個の把持台２０，２０ａと、２個の把持台２０，２０ａのうち一つから延長される引っ掛かり圧力調節片３０と、引っ掛かり圧力調節片３０が掛かるように、本体部１０に設けられる１以上の引っ掛かり圧力調節片挟み爪７０と、逆方向流れ防止引っ掛かかり片４０と、を具備することができる。
【００３４】
２個の把持台２０，２０ａの一端は、互いに離隔されるように、本体部１０に連結され、他端は、長く延長される。２個の把持台２０，２０ａ間に、布切れ類が挟まれる把持部５０が形成される。２個の把持台２０，２０ａの異なる端の間に布切れ類が挿入される進入口６０が形成される。引っ掛かり圧力調節片３０の一端把持部５０を形成する２個の把持台２０，２０ａのうち一つ、例えば、把持台２０ａの縦端部分に連結され、他端が、本体部１０側に延長される。本体部１０には、１以上の、例えば、３個の引っ掛かり圧力調節片挟み爪７０が設けられもする。図２において、引っ掛かり圧力調節片３０の他端が、引っ掛かり圧力調節片挟み爪７０に掛かっていない状態になっている。
【００３５】
逆方向流れ防止引っ掛かかり片４０の一端は、引っ掛かり圧力調節片３０の一側把持台２０ａと連結された部分側に連結され、他端は、斜めに本体部１０側に延長される。逆方向流れ防止引っ掛かかり片４０は、布切れ類が、進入口６０から本体部１０側に流れることを阻まず、すなわち、許容し、本体部１０側から進入口６０側に流れることを防止する機能を有するのである。引っ掛かり圧力調節片３０は、布切れ類の厚みに適するように、逆方向流れ防止引っ掛かかり片４０の位置や傾斜陣角度を調節し、逆方向流れ防止引っ掛かかり片４０の機能がさらに円滑になるようにするのである。
【００３６】
以下では、説明の便宜のために、布切れ類が、前記把持部５０の進入口６０から、前記把持部５０の進入口６０の反対側である本体部１０側に進行する方向を「正方向」と定義し、布切れ類が、前記把持部５０の進入口６０の反対側である本体部１０側から、前記把持部５０の進入口６０側に進む方向を「逆方向」と定義する。
【００３７】
図２及び図３を見れば、逆方向流れ防止引っ掛かかり片４０の他端が、引っ掛かり圧力調節片３０が結合された一側把持台２０ａと対応する他側把持台２０に触れず、間が開いている。本発明の、引っ掛かり圧力調節が可能な布切れ類逆方向流れ防止挟み具を合成樹脂で製作する場合、金型に原材料を注入して射出成形する過程で製作するが、金型製作上、逆方向流れ防止引っ掛かかり片４０の他端の端部が、引っ掛かり圧力調節片３０が結合された一側把持台２０ａと対応する他側把持台２０に付くようにしようとすれば、射出したとき、逆方向流れ防止引っ掛かかり片４０の他端の端部が他側把持台２０と連結されて付いてしまう。それゆえに、逆方向流れ防止引っ掛かかり片４０の他端の端部が、他側把持台２０に触れずに間が開いているように製作される。
【００３８】
すなわち、図２及び図３に図示されているように、引っ掛かり圧力調節片３０が引っ掛かり圧力調節片挟み爪７０に掛かっていない状態では、逆方向流れ防止引っ掛かかり片４０の他端の端部は、他側把持台２０に触れないで間が開いている。
【００３９】
図４は、本発明の第１実施形態において、布切れ類８０が滑るようになった状況を示した部分拡大図である。図４を見れば、把持台２０と、逆方向流れ防止引っ掛かかり片４０の他端の端部との間に、薄い布切れ類８０が挟まれている。逆方向流れ防止引っ掛かかり片４０の他端の端部が布切れ類８０に付いていない状態であるので、布切れ類８０は、下に滑るようになるのである。
【００４０】
すなわち、引っ掛かり圧力調節片３０が、引っ掛かり圧力調節片挟み爪７０に掛かっていない状態では、逆方向流れ防止引っ掛かかり片４０の他端の端部は、他側把持台２０に触れず、逆方向流れ防止引っ掛かかり片４０の他端の端部と、他側把持台２０との開いた間より薄い布切れ類８０は、逆方向流れ防止引っ掛かかり片４０に掛かっておらず、逆方向に進み、落下してしまう。
【００４１】
図５は、本発明の挟み具の第１実施形態において、引っ掛かり圧力調節片挟み爪７０に、引っ掛かり圧力調節片３０が掛かっている状態を図示した正面図である。図５を見れば、引っ掛かり圧力調節片３０の他端が、本体部１０に設けられた３個の引っ掛かり圧力調節片挟み爪７０のうち真ん中のものに掛かった状態になっている。引っ掛かり圧力調節片３０の他端が、引っ掛かり圧力調節片挟み爪７０に掛かるので、引っ掛かり圧力調節片３０が斜めに傾いており、それにより、引っ掛かり圧力調節片３０に一端が連結され、他端が斜めに本体部１０側に延長されている逆方向流れ防止引っ掛かかり片４０も、さらに傾き、他端が他側把持台２０に付き、若干反っている。
【００４２】
図６は、本発明の挟み具の第１実施形態において、引っ掛かり圧力調節片挟み爪７０に、引っ掛かり圧力調節片３０が掛かっている状態において、布切れ類８０が、把持部５０に挟まれるときの状態を図示した部分拡大図である。図５に図示されているように、引っ掛かり圧力調節片３０の他端が、引っ掛かり圧力調節片挟み爪７０に掛かり、それにより、逆方向流れ防止引っ掛かかり片４０も、さらに傾き、他端が他側把持台２０に付く状態であるとしても、逆方向流れ防止引っ掛かかり片４０は、弾性を有しており、他端が斜めに上に向けているので、布切れ類８０が下から上に正方向Ａに挟まれるときは、布切れ類８０が逆方向流れ防止引っ掛かかり片４０を上に押し出しながら、把持台２０との間隙を開き、正方向Ａに進みながら挟まれるということを示している。
【００４３】
ここで、把持台２０と、逆方向流れ防止引っ掛かかり片４０とのうち少なくとも一つは、弾性を有するので、布切れ類８０の挟まれ作用が円滑になるのである。
【００４４】
図７は、本発明の挟み具の第１実施形態において、引っ掛かり圧力調節片挟み爪７０に、引っ掛かり圧力調節片３０が掛かっている状態において、布切れ類８０が、把持部５０の逆方向流れ防止引っ掛かかり片４０に掛かっている状態を図示した部分拡大図である。図７に図示されているように、逆方向流れ防止引っ掛かかり片４０の他端が、把持台２０に付く状態において、布切れ類８０が、進入口６０を経て、逆方向流れ防止引っ掛かかり片４０の他端に接触しながら把持部５０内に挟まれてから、ユーザが布切れ類８０から手を離せば、布切れ類８０は、重力により、逆方向Ｂに進み、進入口６０側に抜け出ようとする。このとき、弾性により、逆方向流れ防止引っ掛かかり片４０が広がりながら、逆方向流れ防止引っ掛かかり片４０の他端の端部が、布切れ類８０の表面が折り込まれるように布切れ類８０に進入して掛かることになる。
【００４５】
布切れ類８０は、表面が柔らかく、表面に接触しながら押す物体の形態により、表面の形態が変わるが、布切れ類の一部分を鋭利に押せば、その部分だけ深く入り込みながら、表面が深く折り込まれれてしまう。逆方向流れ防止引っ掛かかり片４０が、一側把持台２０ａと結合される部位より、布切れ類が掛かる端部が、本体部１０側を向くように傾くようになっているので、布切れ類８０が逆方向Ｂに進むように力を加えて、進むことができない。布切れ類８０は、下側、すなわち、布切れ類８０が進入した方向の反対である逆方向Ｂには、進むことができないのである。
【００４６】
従って、逆方向流れ防止引っ掛かかり片４０の他端が、把持台２０に付いた状態で、逆方向流れ防止引っ掛かかり片４０と把持台２０との間に挟まれた布切れ類８０は、下に落ちないのである。
【００４７】
図８は、本発明の挟み具の第１実施形態において、引っ掛かり圧力調節片挟み爪７０に、引っ掛かり圧力調節片３０が掛かっている状態において、把持部５０の逆方向流れ防止引っ掛かかり片４０に掛かっている布切れ類８０を、斜めに上で取り込むときの状態を図示した部分拡大図であり、側面から見える状態を図示したものである。逆方向流れ防止引っ掛かかり片４０の他端が、把持台２０に付く状態で、逆方向流れ防止引っ掛かかり片４０と把持台２０との間に挟まれた布切れ類８０に対して、図８に図示されているように、布切れ類８０の下の部分をＣ方向に回転させながら、斜め上に持ち上げ、Ｄ方向に斜めに引っ張る。逆方向流れ防止引っ掛かかり片４０は、布切れ類８０の逆方向Ｂへの進行は防止するが、正方向Ａへの進行は、阻まない。従って、ほぼ正方向ＡであるＤ方向に、布切れ類８０が流れることは、円滑になるものであり、布切れ類８０が、本発明の、引っ掛かり圧力調節が可能な布切れ類逆方向流れ防止挟み具から、容易に取り込まれるのである。
【００４８】
図２、図３及び図５に図示された本発明の挟み具の第１実施形態において、本体部１０に、引っ掛かり圧力調節片挟み爪７０が３個具備されているが、引っ掛かり圧力調節片３０を、３個の引っ掛かり圧力調節片挟み爪７０のうちどれに掛けるかということにより、逆方向流れ防止引っ掛かかり片４０が、弾性により、布切れ類８０を押しながら布切れ類８０に掛かる圧迫の強度が異なる。図５には、引っ掛かり圧力調節片３０が、３個の引っ掛かり圧力調節片挟み爪７０のうち真ん中のものに掛かっている状態が図示されているが、それよりさらに引っ掛かり圧力調節片３０の一端が結合された一側把持台２０ａ側にある引っ掛かり圧力調節片挟み爪７０に、引っ掛かり圧力調節片３０が掛かれば、引っ掛かり圧力調節片３０の傾きが緩いものになり、逆方向流れ防止引っ掛かかり片４０が、弾性により、布切れ類８０を押す強度が相対的に弱くなる。反対に、引っ掛かり圧力調節片３０の一端が結合された把持台２０ａと、最も離れた方にある引っ掛かり圧力調節片挟み爪７０に、引っ掛かり圧力調節片３０が掛かれば、引っ掛かり圧力調節片３０の傾きが大きくなり、逆方向流れ防止引っ掛かかり片４０が、弾性により、布切れ類８０を押す強度が相対的にさらに強くなる。
【００４９】
逆方向流れ防止引っ掛かかり片４０が、弾性により、布切れ類８０を押す強度が弱くなれば、布切れ類８０を、本発明の挟み具の進入口６０に進入させ、把持台２０と逆方向流れ防止引っ掛かかり片４０との間に挟んだり、把持台２０と逆方向流れ防止引っ掛かかり片４０との間から抜き取ったりするとき、力があまりいらなくなり、簡便に挟まれる一方、風が吹くたり、本発明の挟み具が揺れたりする場合、布切れ類が落ちやすくなる。逆方向流れ防止引っ掛かかり片４０が、弾性により、布切れ類８０を押す強度が強くなれば、布切れ類８０を本発明の挟み具の進入口６０に進入させ、把持台２０と逆方向流れ防止引っ掛かかり片４０との間に挟んだり、把持台２０と逆方向流れ防止引っ掛かかり片４０との間から抜き取ったりするとき、力が必要である一方、風が吹いたり、本発明の挟み具が揺れたりする場合、布切れ類８０が落ちないように堅固に掛かる。
【００５０】
ユーザは、布切れ類８０の厚みや重さにより、引っ掛かり圧力調節片３０を、多数の引っ掛かり圧力調節片挟み爪７０のうち適切なものに掛け、逆方向流れ防止引っ掛かかり片４０が、弾性により、布切れ類８０を押す強度を調節し、布切れ類８０を掛けたり抜き取ったりするときも、便利でありつつ、布切れ類８０が堅固に掛かるようにすることができる。
【００５１】
図４、図６、図７及び図８に図示されて説明された本発明の挟み具に挟まれ、掛かり、取り込まれる基本的な作用は、以下で叙述される他の実施形態にも、同じ原理で適用されるのである。
【００５２】
図９は、本発明の挟み具の第２実施形態であり、引っ掛かり圧力調節片挟み爪７０に、引っ掛かり圧力調節片３０が掛かっている状態を図示した正面図である。図９に図示されているように、引っ掛かり圧力調節片挟み爪７０が、本体部１０に設けられる代りに、把持台２０ａに設けられもする。引っ掛かり圧力調節片３０を、把持台２０ａに設けられた引っ掛かり圧力調節片挟み爪７０に掛ければ、弾性がある引っ掛かり圧力調節片３０が反りながら中間部分が凸型になり、引っ掛かり圧力調節片３０が結合された一側把持台２０ａと対向する他側把持台２０側に近くなる。引っ掛かり圧力調節片３０に一端が結合され、他端が斜めに本体部１０側に延長されている逆方向流れ防止引っ掛かかり片４０も、相対的にさらに傾き、他端が他方把持台２０に付き、若干反る。それにより、本発明の第１実施形態のように、布切れ類８０が、把持部５０内において、正方向Ａ流れは円滑になり、逆方向Ｂ流れは、防止され、布切れ類８０を挟んで掛けて抜き取る機能を円滑に遂行することができる。
【００５３】
図１０は、本発明の挟み具の第３実施形態であり、引っ掛かり圧力調節片挟み爪７０に、引っ掛かり圧力調節片３０が掛かっている状態を図示した正面図である。図１０に図示されているように、引っ掛かり圧力調節片挟み爪７０が、本体部１０と把持台２０ａとのいずれもに具備される。引っ掛かり圧力調節片３０を、本体部１０に設けられた引っ掛かり圧力調節片挟み爪７０に掛けるか、あるいは把持台２０ａに設けられた引っ掛かり圧力調節片挟み爪７０に掛け、引っ掛かり圧力調節片３０に一端が結合され、他端が斜めに本体部１０側に延長されている逆方向流れ防止引っ掛かかり片４０の他端が他方把持台２０に付くようにし、本発明の第１実施形態のように、布切れ類８０が把持部５０内において、正方向Ａ流れは、円滑になり、逆方向Ｂ流れは、防止され、布切れ類８０を挟んで掛けて抜き取る機能を円滑に遂行するようになるのである。
【００５４】
引っ掛かり圧力調節片３０は、１対の把持台２０，２０ａのうち一つから延長され、逆方向流れ防止引っ掛かかり片４０は、１対の把持台２０，２０ａのうち他の一つから延長され、逆方向流れ防止引っ掛かかり片４０が、引っ掛かり圧力調節片３０と弾力的に対向することができる。引っ掛かり圧力調節片挟み爪７０は、本体部１０と、引っ掛かり圧力調節片３０が連結された把持台とのうち少なくとも一つに設けられもする。
【００５５】
図１１は、本発明の挟み具の第４実施形態であり、引っ掛かり圧力調節片挟み爪７０に、引っ掛かり圧力調節片３０が掛かっていない状態を図示した正面図である。図１１を見れば、本体部１０両端に、２個の把持台２０，２０ａが、それぞれ一端が本体部１０に連結され、他端が長く延長され、布切れ類８０が挟まれる把持部５０が形成される。把持部５０を形成する２個の把持台２０，２０ａのうち一つの把持台２０の縦端部分に、引っ掛かり圧力調節片３０の一端が連結され、他端が、本体部１０側に延長される。本体部１０には、３個の引っ掛かり圧力調節片挟み爪７０が設けられているが、引っ掛かり圧力調節片３０が引っ掛かり圧力調節片挟み爪７０に掛かっていない状態になっている。
【００５６】
そして、引っ掛かり圧力調節片３０が連結された把持台２０と対向する把持台２０ａの縦端部に、逆方向流れ防止引っ掛かかり片４０の一端が連結され、他端が、斜めに本体部１０側に延長されている。
【００５７】
本発明の第１，第２，第３実施形態は、一側把持台２０ａに連結された引っ掛かり圧力調節片３０に、逆方向流れ防止引っ掛かかり片４０が連結されているのに対し、本発明の第４実施形態によれば、引っ掛かり圧力調節片３０に、逆方向流れ防止引っ掛かかり片４０が連結されず、２個の把持台２０，２０ａに、それぞれ引っ掛かり圧力調節片３０と逆方向流れ防止引っ掛かかり片４０とが別途に連結されているのである。
【００５８】
引っ掛かり圧力調節片３０が、引っ掛かり圧力調節片挟み爪７０に掛かっていない状態になっており、逆方向流れ防止引っ掛かかり片４０他端の端部が、引っ掛かり圧力調節片３０に付かずに間が開いている。第１実施形態で説明したように、引っ掛かり圧力調節片３０と、逆方向流れ防止引っ掛かかり片４０の他端の端部との間に、薄い布切れ類８０が挟まれれば、逆方向流れ防止引っ掛かかり片４０の他端の端部が布切れ類８０に付いていない状態になり、布切れ類８０は、下に滑ることができるようになるのである。すなわち、引っ掛かり圧力調節片３０が、引っ掛かり圧力調節片挟み爪７０に掛かっていない状態では、逆方向流れ防止引っ掛かかり片４０の他端の端部は、引っ掛かり圧力調節片３０に付かず、逆方向流れ防止引っ掛かかり片４０の他端の端部と、引っ掛かり圧力調節片３０との開いた間より薄い布切れ類は、逆方向流れ防止引っ掛かかり片４０に掛かっておらず、逆方向に進み、下に落ちてしまう。
【００５９】
図１２は、図１１に図示された本発明の挟み具の第４実施形態であり、引っ掛かり圧力調節片挟み爪７０に、引っ掛かり圧力調節片３０が掛かっている状態を図示した正面図である。図１２を見れば、２個の把持台２０，２０ａに、それぞれ引っ掛かり圧力調節片３０と、逆方向流れ防止引っ掛かかり片４０とが連結される。２個の把持台２０，２０ａのうち１つの把持台２０に連結された引っ掛かり圧力調節片３０の他端が、本体部１０に具備された３個の引っ掛かり圧力調節片挟み爪７０のうち真ん中のものに掛かった状態である。
【００６０】
引っ掛かり圧力調節片３０の一端逆方向流れ防止引っ掛かかり片４０が連結されていない把持台２０に連結され、他端は、斜めに逆方向流れ防止引っ掛かかり片４０が連結された把持台２０ａ側に傾きながら、本体部１０側を向いている。
一側把持台２０ａに連結された逆方向流れ防止引っ掛かかり片４０の他端の端部は、把持部５０の中間部分に位置するので、傾いた引っ掛かり圧力調節片３０と付くようになり、逆方向流れ防止引っ掛かかり片４０の他端の端部は、引っ掛かり圧力調節片３０に圧力を加えながら反るようになる。
【００６１】
ここでは、布切れ類８０が、引っ掛かり圧力調節片３０と逆方向流れ防止引っ掛かかり片４０との間に挟まれて掛かる。本発明の第１実施形態や第２実施形態のように、逆方向流れ防止引っ掛かかり片４０は、弾性を有しており、他端が斜めに上に向いているので、布切れ類８０が下から上に挟まれるときは、布切れ類８０が、逆方向流れ防止引っ掛かかり片４０を上に押し出しながら、引っ掛かり圧力調節片３０との間隙を開き、正方向Ａに進みながら挟まれる。
【００６２】
下から上に挟まれた布切れ類８０が、それ以上上に進まずに停止する場合には、逆方向流れ防止引っ掛かかり片４０が、弾性により、布切れ類８０を押しながら、布切れ類８０に掛かるようになり、布切れ類８０が下側、すなわち、布切れ類８０が進入した方向の反対である逆方向Ｂには、進むことができない。従って、逆方向流れ防止引っ掛かかり片４０の他端と、引っ掛かり圧力調節片３０との間に挟まれた布切れ類８０は、下に落ちない。
【００６３】
また、逆方向流れ防止引っ掛かかり片４０は、布切れ類８０の逆方向Ｂ進行は、防止するが、正方向Ａ進行は、阻まないので、引っ掛かり圧力調節片３０と逆方向流れ防止引っ掛かかり片４０との間に挟まれた布切れ類８０を上側方向に取り込めば、容易に取り込められる。
【００６４】
図１３は、本発明の挟み具の第５実施形態であり、引っ掛かり圧力調節片挟み爪７０に、引っ掛かり圧力調節片３０が掛かっている状態を図示した正面図である。図１３を見れば、引っ掛かり圧力調節片挟み爪７０が、本体部１０と把持台２０とのいずれもに設けられている。引っ掛かり圧力調節片３０を、把持台２０に設けられている引っ掛かり圧力調節片挟み爪７０に掛ければ、弾性がある引っ掛かり圧力調節片３０が反りながら、中間部分が凸型になり、逆方向流れ防止引っ掛かかり片４０が結合された把持台２０ａ側に近くなり、逆方向流れ防止引っ掛かかり片４０に付き、逆方向流れ防止引っ掛かかり片４０は、他端の端部が圧力を受けて若干反る。そのように、ユーザが引っ掛かり圧力調節片３０を、本体部１０に設けられた引っ掛かり圧力調節片挟み爪７０に掛けるか、あるいは把持台２０に設けられている引っ掛かり圧力調節片挟み爪７０に掛け、引っ掛かり圧力調節片３０と逆方向流れ防止引っ掛かかり片４０との間に圧力が加えられるようにし、布切れ類８０が把持部５０内において、正方向Ａ流れは、円滑になり、逆方向Ｂ流れは、防止され、布切れ類８０を挟んで掛けて抜き取る機能を円滑に遂行されるようにするのである。
【００６５】
引っ掛かり圧力調節片３０は、１対の把持台２０，２０ａそれぞれから延長された１対の引っ掛かり圧力調節片を含み、逆方向流れ防止引っ掛かかり片４０は、１対の引っ掛かり圧力調節片のうち一つから延長され、１対の引っ掛かり圧力調節片のうち他の一つと弾力的に対向し、引っ掛かり圧力調節片挟み爪７０は、本体部１０に設けられもする。
【００６６】
図１４は、本発明の挟み具の第６実施形態であり、引っ掛かり圧力調節片挟み爪７０に、引っ掛かり圧力調節片３０が掛かっている状態を図示した正面図である。図１４を見れば、一側把持台２０ａにも、引っ掛かり圧力調節片３０が連結されており、他側把持台２０にも、引っ掛かり圧力調節片３０が連結されており、逆方向流れ防止引っ掛かかり片４０が一側把持台２０ａに結合された引っ掛かり圧力調節片３０に連結されている。この状態で、両側引っ掛かり圧力調節片３０が、本体部１０に設けられている引っ掛かり圧力調節片挟み爪７０に掛かっているので、一側把持台２０ａに連結された引っ掛かり圧力調節片３０に連結された逆方向流れ防止引っ掛かかり片４０の他端の端部と、他方把持台２０に連結された引っ掛かり圧力調節片３０との間に圧力が加えられた状態である。
【００６７】
この場合にも、本体部１０に具備された引っ掛かり圧力調節片挟み爪７０のうちいずれに引っ掛かり圧力調節片３０を掛けるかということにより、逆方向流れ防止引っ掛かかり片４０が、弾性により、布切れ類８０を押す強度が異なるのである。逆方向流れ防止引っ掛かかり片４０は、布切れ類８０の逆方向Ｂ進行は、防止するが、正方向Ａ進行は、阻まないので、ユーザは、一側把持台２０ａに連結された引っ掛かり圧力調節片３０に連結された逆方向流れ防止引っ掛かかり片４０と、他側把持台２０に連結された引っ掛かり圧力調節片３０との間において、布切れ類８０を挟んで掛けて抜き取る機能を円滑に遂行することができるのである。
【００６８】
引っ掛かり圧力調節片３０は、１対の把持台２０，２０ａそれぞれから延長された１対の引っ掛かり圧力調節片を含み、逆方向流れ防止引っ掛かかり片４０は、１対の引っ掛かり圧力調節片それぞれから延長されて互いに弾力的に対向する１対の逆方向流れ防止引っ掛かかり片を含み、引っ掛かり圧力調節片挟み爪７０は、本体部１０に設けられもする。
【００６９】
図１５は、本発明の挟み具の第７実施形態であり、引っ掛かり圧力調節片挟み爪７０に、引っ掛かり圧力調節片３０が掛かっていない状態を図示した正面図である。図１５を見れば、一側把持台２０ａにも、引っ掛かり圧力調節片３０が連結されており、他側把持台２０にも、引っ掛かり圧力調節片３０が連結されており、２個の逆方向流れ防止引っ掛かかり片４０が、両側引っ掛かり圧力調節片３０にそれぞれ連結されている。ここでは、布切れ類８０が、両側逆方向流れ防止引っ掛かかり片４０の他端の端部の間に挟まれるが、本体部１０に設けられている引っ掛かり圧力調節片挟み爪７０に、両側引っ掛かり圧力調節片３０が掛かっていないので、両側逆方向流れ防止引っ掛かかり片４０の他端の端部が互いに触れ合っておらず、薄い布切れ類８０は、掛からずに逆方向に流れて落ちてしまうのである。
【００７０】
ユーザが、両側引っ掛かり圧力調節片３０を、それぞれ本体部１０に設けられている引っ掛かり圧力調節片挟み爪７０に掛けるか、あるいは両側引っ掛かり圧力調節片３０のうち一つを、本体部１０に設けられている引っ掛かり圧力調節片挟み爪７０に掛ければ、両側逆方向流れ防止引っ掛かかり片４０の他端の端部が互いに触れ合うことになり、両側逆方向流れ防止引っ掛かかり片４０の間において、布切れ類８０を挟んで掛けて抜き取る機能を円滑に遂行することができるのである。
【００７１】
引っ掛かり圧力調節片３０は、本体部１０から延長され、引っ掛かり圧力調節片挟み爪７０は、１対の把持台２０，２０ａのうち、引っ掛かり圧力調節片３０と近い把持台に設けられもする。逆方向流れ防止引っ掛かかり片４０は、引っ掛かり圧力調節片３０から延長され、１対の把持台２０，２０ａのうち一つと弾力的に対向することができる。逆方向流れ防止引っ掛かかり片４０は、１対の把持台２０，２０ａのうち一つから延長され、引っ掛かり圧力調節片３０と弾力的に対向することもできる。
【００７２】
図１６は、本発明の挟み具の第８実施形態であり、引っ掛かり圧力調節片挟み爪７０に、引っ掛かり圧力調節片３０が掛かっていない状態を図示した正面図である。図１７は、図１６に図示された本発明の挟み具の第８実施形態において、引っ掛かり圧力調節片挟み爪７０に、引っ掛かり圧力調節片３０が掛かっている状態を図示した正面図である。図１６及び図１７を見れば、引っ掛かり圧力調節片３０が、把持台２０，２０ａに設けられておらず、本体部１０に設けられている。
【００７３】
本体部１０に、引っ掛かり圧力調節片３０の一端が連結され、他端が下に長く延長され、他端の端部部分に、逆方向流れ防止引っ掛かかり片４０の一端が連結されている。引っ掛かり圧力調節片３０と近い一側把持台２０ａの他端の端部部分に、引っ掛かり圧力調節片挟み爪７０が設けられている。図１６を見れば、引っ掛かり圧力調節片挟み爪７０に、引っ掛かり圧力調節片３０が掛かっていない状態では、逆方向流れ防止引っ掛かかり片４０の他端の端部が、他側把持台２０に付いておらず、薄い布切れ類８０は、掛からずに、逆方向Ｂに流れて落ちてしまう。図１７を見れば、引っ掛かり圧力調節片３０を、一側把持台２０ａに設けられている引っ掛かり圧力調節片挟み爪７０に掛ければ、引っ掛かり圧力調節片３０が反りながら、中間部分が凸型になりながら、引っ掛かり圧力調節片３０に一端が結合された逆方向流れ防止引っ掛かかり片４０がさらに傾くようになり、他端の端部が他側把持台２０に付き、逆方向流れ防止引っ掛かかり片４０は、他端の端部が圧力を受けて若干反っている。そのように、ユーザが本体部１０に連結された引っ掛かり圧力調節片３０を、一側把持台２０ａに具備された引っ掛かり圧力調節片挟み爪７０に掛け、他方把持台２０と逆方向流れ防止引っ掛かかり片４０との間に圧力が加えられるようにし、布切れ類８０が把持部５０内において、正方向Ａ流れは、円滑になり、逆方向Ｂ流れは、防止され、布切れ類８０を挟んで掛けて抜き取る機能が円滑に遂行されるようにするのである。
【００７４】
図１８は、本発明の挟み具の第９実施形態であり、引っ掛かり圧力調節片挟み爪７０に、引っ掛かり圧力調節片３０が掛かっていない状態を図示した正面図である。図１９は、図１８に図示された本発明の挟み具の第９実施形態において、引っ掛かり圧力調節片挟み爪７０に、引っ掛かり圧力調節片３０が掛かっている状態を図示した正面図である。図１８及び図１９に図示されているように、引っ掛かり圧力調節片３０が、把持台２０，２０ａに連結されておらず、本体部１０に連結されている点は、図１６、図１７に図示された本発明の挟み具の第８実施形態のようであるが、引っ掛かり圧力調節片３０から遠く離れた一側把持台２０ａの他端の端部部分に、逆方向流れ防止引っ掛かかり片４０の一端が連結されており、引っ掛かり圧力調節片３０と近い把持台２０の他端の端部部分に、引っ掛かり圧力調節片挟み爪７０が具備されている点で違いがある。図１８を見れば、引っ掛かり圧力調節片挟み爪７０に、引っ掛かり圧力調節片３０が掛かっていない状態では、逆方向流れ防止引っ掛かかり片４０の他端の端部が、引っ掛かり圧力調節片３０に付いておらず、逆方向流れ防止引っ掛かかり片４０と引っ掛かり圧力調節片３０との間に、薄い布切れ類８０が挟まれれば、掛からずに逆方向に流れて落ちてしまう。図１９を見れば、引っ掛かり圧力調節片３０を、近い把持台２０に設けられている引っ掛かり圧力調節片挟み爪７０に掛ければ、引っ掛かり圧力調節片３０が反りながら中間部分が凸型になりながら、反対側の一側把持台２０ａの他端の端部部分に一端が結合された逆方向流れ防止引っ掛かかり片４０の他端の端部が、引っ掛かり圧力調節片３０に付き、逆方向流れ防止引っ掛かかり片４０は、他端の端部が圧力を受け、若干反っているところを示している。そのように、ユーザが、本体部１０に設けられた引っ掛かり圧力調節片３０を、把持台２０に設けられた引っ掛かり圧力調節片挟み爪７０に掛け、引っ掛かり圧力調節片３０と逆方向流れ防止引っ掛かかり片４０との間に圧力が加えられるようにし、布切れ類８０が把持部５０内において、引っ掛かり圧力調節片３０と逆方向流れ防止引っ掛かかり片４０との間に挟まれ、正方向Ａ流れは、円滑になり、逆方向Ｂ流れは、防止され、布切れ類８０を挟んで掛けて抜き取る機能が円滑に遂行されるようにするのである。
【００７５】
図２０は、本発明の、引っ掛かり圧力調節が可能な布切れ類逆方向流れ防止挟み具が横長方向に結合されて形成された逆方向流れ防止挟み装置を図示した斜視図である。図２０に図示されているように、複数の本発明の挟み具１００が横長方向に配列されて形成されている。複数の挟み具は、前記本体部１０の延長方向にも配列される。ここで、本発明の挟み具の把持台は、互いに隣接した挟み具の把持台として利用されもするのである。そのように形成される逆方向流れ防止挟み装置は、いくつもの布切れ類を容易であって迅速に挟んで掛けて抜き取ることができることにより、別途の組み立て過程なしに、１つの金型で、１回の射出を介して製造することができ、生産が容易であって生産コストも減らすことができる有用品なのである。
【００７６】
以上、添付された図面を参照し、本発明の望ましい実施形態について説明したが、本明細書に記載された実施形態と、図面に図示された構成は、本発明の最も望ましい一実施形態に過ぎず、本発明の技術的思想をいずれも代弁するものではないので、本出願時点において、それらを代替することができる多様な均等物と変形例とがあるということを理解しなければならない。従って、以上で記述した実施形態は、全ての面で例示的なものであり、限定的なものではないと理解されなければならず、本発明の範囲は、詳細な説明よりは、特許請求の範囲によって示され、特許請求の範囲の意味、範囲、及びその等価概念から導き出される全ての変更または変形された形態は、本発明の範囲に含まれるものであると解釈されなければならない。
【図１】
2020513862.tif 000003
【図２】
2020513862.tif 000004
【図３】
2020513862.tif 000005
【図４】
2020513862.tif 000006
【図５】
2020513862.tif 000007
【図６】
2020513862.tif 000008
【図７】
2020513862.tif 000009
【図８】
2020513862.tif 000010
【図９】
2020513862.tif 000011
【図１０】
2020513862.tif 000012
【図１１】
2020513862.tif 000013
【図１２】
2020513862.tif 000014
【図１３】
2020513862.tif 000015
【図１４】
2020513862.tif 000016
【図１５】
2020513862.tif 000017
【図１６】
2020513862.tif 000018
【図１７】
2020513862.tif 000019
【図１８】
2020513862.tif 000020
【図１９】
2020513862.tif 000021
【図２０】
2020513862.tif 000022
【国際調査報告】
2020513862.tif 000023
2020513862.tif 000024